(57)【要約】      （修正有）【課題】粘着テープの端を指一本の操作で簡単に折り返すことができ、シンプルで動力の必要も無い、普通のテープカッターとしても違和感無く使用できるテープカッターを開発する。【解決手段】アーム７の中間に開口部１１を設け、開口部１１の端に支え１２を設ける。支え５に支点軸１３を設け、半円形のアールがついたアーム１４を、開口部１１を通して支え１２に支えられるように設ける。アーム１４の先端に回転するローラー１６を設け、ローラー１６の下部に磁石１７を設ける。同じくアーム１４に磁石１８を設け。支え１２に磁石１９を設ける。支え５の上部に磁石２０を設け。突起１０の下部に磁石２１を設ける。アーム７に磁性体の金属片２２を設ける。【選択図】図１
2014227301.tif 000002
【特許請求の範囲】
【請求項１】
架台（１）に支点軸（２）を設け、リール（４）を設ける。リール（４）の反対側に支え（５）を設ける。支点軸（２）と支え（５）の先端とで三角形を形成する位置に支点軸（６）を設け、アーム（７）を設ける。アーム（７）の先端に粘着テープ（３）を切断するための刃（８）と切断されたテープを保持する支え（９）を設け、刃（８）の下部に、指をかけるための突起（１０）を設ける。同じくアーム（７）の中間に開口部（１１）を設け、開口部（１１）の端に支え（１２）を設ける。支え（５）に支点軸（１３）を設け、半円形のアールがついたアーム（１４）を、開口部（１１）を通して（１２）に支えられるように設ける。アーム（１４）の先端に回転するローラー（１６）を設け、ローラー（１６）の下部に磁石（１７）を設ける。同じくアーム（１４）に磁石（１８）を設け。支え（１２）に磁石（１９）を設ける。支え（５）の上部に磁石（２０）を設け。突起（１０）の下部に磁石（２１）を設ける。アーム（７）に磁性体の金属片（２２）を設ける。以上のよう構成によりなるテープカッター。
【発明の詳細な説明】
【技術分野】
【０００１】  この発明は、必要な時に粘着テープの折り返し部分が指一本で簡単にできるテープカッターに関するものである。
【背景技術】
【０００２】    粘着テープという道具は便利であり、広く使用されている。しかしながら、いざ粘着テープをはがすとなるとはがしにくく、粘着テープを貼るときに、はがしやすくするために一部を折り返してから貼る人も多い。
【先行技術文献】
【０００３】
【非特許文献１】  特開２００２−１４５５１１
【発明の概要】
【発明が解決しようとする課題】
【０００４】  （イ）書店や衣料品店など、ビニール系の袋で包装する店舗は多い。しかし、商品購入後、袋を開ける際に、袋を止めている粘着テープがはがしにくく、袋を破ってしまったり、ビニール袋が粘着テープと一緒に伸びたりして開けにくい。顧客サービスを重視する店などは、袋を粘着テープで止める際に粘着テープを折り返してお客がはがしやすくしている店もある。しかしながら、全ての客にこれを行うには大変な手間である。
（ロ）これまで、粘着テープの一端を折り返すテープカッターは多く特許申請がなされているが、広く普及したものはない。前記の特開２００２−１４５５１１は、シンプルであるが常に粘着テープが折り返され、折り返さない普通のテープカッターに切り替えることができない。
そこで、本発明の解決しようとする課題は、粘着テープの端を指一本の操作で簡単に折り返すことができ、シンプルで製造コストが小さく、電力等の動力の必要も無く、普通のテープカッターとして使用するときも操作性が変わらないテープカッターを開発することである。
【課題を解決するための手段】
【０００５】  架台（１）の一端に支点軸（２）を設け、支点軸（２）を中心に回転する粘着テープ（３）を支えるリール（４）を設け、反対側に支え（５）を設ける。支点軸（２）の下方、支点軸（２）と支え（５）の先端とで三角形を形成する位置に支点軸（６）を設け、支点軸（６）を中心として半回転するアーム（７）を支え（５）に支えられる形で設ける。アーム（７）の先端に粘着テープ（３）を切断する刃（８）と切断されたテープを保持するための支え（９）を設け、刃（８）の下部に、指をかけるための突起（１０）を設ける。同じくアーム（７）の中間に開口部（１１）を設け、開口部（１１）の端に支え（１２）を設ける。支え（５）に支点軸（１３）を設け、支点軸（１３）を中心として半回転する半円形のアールがついたアーム（１４）を、アーム（７）の開口部（１１）を通してアーム（７）とクロスしながら支え（１２）に支えられるように設ける。アーム（１４）の先端に支点軸（１５）を設け、支点軸（１５）を中心に回転するローラー（１６）を設け、ローラー（１６）の下部に磁石（１７）を設ける。同じくアーム（１４）に磁石（１８）を設ける。支え（１２）にも磁石（１８）と引き合うように磁石（１９）を設ける。支え（５）の上部に磁石（２０）を設け。アーム（７）の突起（１０）の下部に磁石（２０）と引き合うように磁石（２１）を設ける。アーム（７）に磁性体の金属片（２２）を設ける。
本発明は、以上のような構成によりなるテープカッターである。
【発明の効果】
【０００６】  普段は、一般的に普及している普通のテープカッターとして、まったく同じ使い方で使用できる。折り返しを作るときは、指を突起（１０）に掛けて上方に持ち上げると支え（９）とローラー（１６）に挟まれる形で粘着テープ（３）のループができる。粘着テープ（３）のループ部分をつまんで引くとアーム（７）、アーム（１４）が降りてもとの状態に戻り、そのまま普通のテープカッターのように刃（８）で粘着テープ（３）を切断することができる。特に動力は必要とせず、シンプルな構造なので製造コストが小さい。
【図面の簡単な説明】
【０００７】
【図１】  本発明の斜視図である。
【図２】  本発明の主要部分の側面図である。
【図３】  本発明の主要部分、粘着テープを折り返した時の側面図である。
【発明を実施するための形態】
【０００８】  以下、本発明を実施するための形態について説明する。
架台（１）の一端に支点軸（２）を設け、支点軸（２）を中心に回転する粘着テープ（３）を支えるリール（４）を設け、反対側に支え（５）を設ける。支点軸（２）の下方、支点軸（２）と支え（５）の先端とで三角形を形成する位置に支点軸（６）を設け、支点軸（６）を中心として半回転するアーム（７）を支え（５）に支えられる形で設ける。アーム（７）の先端に粘着テープ（３）を切断する刃（８）と切断されたテープを保持するための支え（９）を設け、刃（８）の下部に、指をかけるための突起（１０）を設ける。同じくアーム（７）の中間に開口部（１１）を設け、開口部（１１）の端に支え（１２）を設ける。支え（５）に支点軸（１３）を設け、支点軸（１３）を中心として半回転する半円形のアールがついたアーム（１４）を、アーム（７）の開口部（１１）を通してアーム（７）とクロスしながら支え（１２）に支えられるように設ける。アーム（１４）の先端に支点軸（１５）を設け、支点軸（１５）を中心に回転するローラー（１６）を設け、ローラー（１６）の下部に磁石（１７）を設ける。同じくアーム（１４）に磁石（１８）を設ける。支え（１２）にも磁石（１８）と引き合うように磁石（１９）を設ける。支え（５）の上部に磁石（２０）を設け。アーム（７）の突起（１０）の下部に磁石（２０）と引き合うように磁石（２１）を設ける。アーム（７）に磁性体の金属片（２２）を設ける。
本発明は以上のような構造である。
これを使用するときは、普段は図２のようにアーム（７）が降りた状態で普通のテープカッターと同じように使用する。
粘着テープを折り返したいときは、アーム（７）を突起（１０）に指を掛けて上方に引き上げると、磁石（２０）と磁石（２１）が離れると同時に、支え（１２）がアーム（１４）を押し上げる。アーム（１４）が起きたことで、ローラー（１６）が粘着テープ（３）を持ち上げながら回転し、粘着テープ（３）を保持する。
アーム（７）の支え（９）とアーム（１４）のローラー（１６）は粘着テープ（３）を挟みながら近づき、図３のように磁石（１７）と磁性体の金属片（２２）が引き合い接した状態で止まる。この時、支え（９）とローラー（１６）のあいだに粘着テープ（３）のループが形成されるので、ループ部分を指でつまんで引くと、磁石（１７）と磁性体の金属片（２２）が離れてアーム（７）とアーム（１４）が下がり、磁石（１２）と磁石（１８）、磁石（２０）と（２１）が引き合いながら接した状態でアーム（７）、アーム（１４）及び支え（５）を固定させる。
最初の形態で固定されたことで、安定した状態でつまんだループ部分を引き寄せることができるので、好みの長さに引き、刃（８）で粘着テープを切断すると元の図２の状態となり、また普通のテープカッターのように使用できる。
【符号の説明】
【０００９】１  架台
２  支点軸
３  粘着テープ
４  リール
５  支え
６  支点軸
７  アーム
８  刃
９  支え
１０  突起
１１  開口部
１２  支え
１３  支点軸
１４  アーム
１５  支点軸
１６  ローラー
１７  磁石
１８  磁石
１９  磁石
２０  磁石
２１  磁石
２２  磁性体の金属片
【図１】
2014227301.tif 000003
【図２】
2014227301.tif 000004
【図３】
2014227301.tif 000005